(57)【特許請求の範囲】
【請求項１】
前身頃に２本の前紐を互いに間隔をおいて上下にそれぞれ取り付けるとともに、後身頃に１本の後紐を取り付けた袴において、上部前紐は胴を一回りする長さの紐で袴前身頃の上端部分に縫い付け、下部前紐は上部前紐と略同等の長さの紐を、袴前身頃の左右両側部分の２箇所のみに縫いつけ、この２箇所の縫い付け間を、袴後身頃に取り付けた後紐を結び留める結び代としたことを特徴とする袴式和服。
【発明の詳細な説明】
【技術分野】
【０００１】
本発明は日常生活における利便性を図った袴式和服に関する。
【背景技術】
【０００２】
まず現在でも最も一般的と思われる従来の袴式和服の構成及び形状について、図５〜図８により説明する。図５において従来の袴式和服の着姿を表している。図の様に袴式和服は、長着(着物)、帯、袴より構成される。図６に長着(着物)と帯、図７に袴の前面、図８に袴の後面を表した。
【０００３】
次に着用方法の説明をすると、まず長着(着物,図の15)を着て帯(図の16)を締める。長着(着物)の裾の中心(背中心)を捲り上げて、それを帯との間に差し入れ着丈を短くする。次に袴に足を入れてから、袴前身頃が帯の上に被さる位置にして、前紐(11部分、斜線で表示)で背の帯の結び目の上で一結びして、さらに帯の結び目の下に引っ掛けつつ帯の下辺の高さで左右からの二重の前紐で袴前身頃を一回りして、背の帯の結び目の下できちんと結ぶ。さらに袴の後身頃の腰板(図の14)を帯の結び目の上に乗せて、後紐(図の13)の左右は二重に袴前身頃を一回りした前紐の前中心へ持ってきて、前紐を絡めて結び、後紐の残りの長さを始末して完成となる。
【０００４】
また先行技術の中には、従来の着物身頃や袴、帯などへの係止具及び固定具を設けて、着用上便利な様に対策を施したもの（特許文献1参照）がある。
【０００５】
他にも、結び目の付いた見せかけの飾り紐を袴前部に縫い付けて、簡易な着用を目的としたもの（特許文献２参照）もある。
【先行技術文献】
【特許文献】
【０００６】
【特許文献１】特開2001−355106号公報
【特許文献２】実公昭17−007633号公報
【発明の概要】
【発明が解決しようとする課題】
【０００７】
以上に述べたように従来の袴式和服を着用するにおいては、長着(着物)を捲って着丈を短くする等、袴の前紐を帯の上下に振り分けるように計3回も胴に巻き留めるため始末が難しいこと等と、着用にかなりの手間とコツを要する。また着用中の動作次第では、二巻き目の二重の前紐がずり上がってくるなどの着崩れを起こしやすい。
【０００８】
本発明は、着用時間と手間の軽減、活動中の運動による着崩れ防止、及び美しい着姿の維持、さらに非着用時の畳み片付けを容易にすることなどにより、日常に袴式和服を着用するに当たっての、利便性と安定性を増すことを目的とするものである。
【課題を解決するための手段】
【０００９】
まず、本発明は上記目的を達成するために袴の前紐を上下２本にした。1本は胴を一巻きして背中心で結べる長さの紐で、袴前身頃の最上部に縫い付ける。下方のもう1本の紐は、上の前紐と略同等の長さの紐を上部前紐とは間隔をあけた下側の位置に、袴前面の左右の両側部分の２箇所のみに縫い付ける。そして縫い付けた２箇所の間の前身頃には固定されていない前紐部分を、図1等で示す通り、袴の後紐（図の3）を結び留めるための結び代とする。
【００１０】
さらに、長着(着物)も従来の足首(くるぶし)位である着丈より短く、膝の位置ほどの丈としたことも、課題解決手段の補足とする。
【００１１】
上記の課題解決手段による作用は次の通りである。すなわち、従来は二巻き目に下方で左右から二重に巻いて後紐の結び代としていた前紐に関する作業が、予め上部前紐と下部前紐を上下に間隔をあけて縫い付け、下部前紐の左右２箇所のみの縫い付け部間に形成された縫われていない部分を結び代としているので、上下２本の前紐を背で固定するだけになり、これまでの胴を３巻きしていたところが上下1巻きずつの計２巻きで済む。よって前紐の長さは、上下の1本あたりでは従来の半分以下の長さにまで短くすることが出来た。
【発明の効果】
【００１２】
上述した様に本発明の袴式和服は、前紐を短く上下2本に分けたことにより、紐の長さに起因していた手間を軽減するとともに、着用に要する時間を短縮する効果を得た。
【００１３】
さらに2本の前紐により帯の上下2箇所で袴前身頃を固定し、袴前見頃の左右両脇に縫い付けられた下部前紐を後紐の結び代にすることで袴後身頃も留まるので、着崩れの起こりにくい安定した着姿を維持する効果もあり、日常に手軽な利便性の高い袴式和服を提供できる。
【発明を実施するための形態】
【００１４】
以下、本発明の実施の形態を図1〜図４に基づいて説明する。
【００１５】
図において、1は上部前紐(上側の前紐)、2は下部前紐(下側の前紐)である。上部前紐は袴前身頃の上部で袴前身頃を包む形で縫い付けて、下部前紐は袴下帯の下辺の位置、つまり上部前紐より５ｃｍ位下に２A、２Bの袴前身頃両側部分(笹ひだ)でのみ袴身頃に縫い付ける。そして縫い付けた２箇所の間(２A〜２B間)の下部前紐(図１、３の斜線表示の部分)を袴前身頃より離すと共にこの前紐内部には厚めの芯を入れて、ここで後紐を結び留めるときの型崩れ防止の対策とした。3は後紐で上下の前紐を胴に結んだ後、前記のように下部前紐(芯入りの部分)に結び、残りの長さを始末する。4は腰板で、袴後身頃を挟み込んで縫い付けてある。5は長着(着物)で、着用時のはしょる作業を無くす目的で、従来の足首(くるぶし)位である着丈より短く、膝丈ほどの長さとした。6は帯である。
【００１６】
以下、上記構成における着用方法を説明する。まず着物(5)を着て、帯(6)を背中で結ぶ。次に袴に足を入れてから、袴前身頃を帯の上に被さる位置にして、背の帯の結び目の上に袴上部前紐を結び、帯の結び目の下で下部前紐を結ぶ。そして腰板(4)を結び目にのせて、左右後紐(3)を下部前紐の2Aと2Bの中間(この部分には厚めの芯が入っている)で下部前紐を結び代として結び、残りの長さを始末する。これで通常の着用は完成する。よって、着用に要する時間と手間が短縮及び軽減され、従来に比べ利便性を高めること出来る。
【図面の簡単な説明】
【００１７】
【図１】本発明の実施形態を示す袴式和服の前面着用図と袴部分後面着用図
【図２】同袴式和服の着物及び帯の部分形態図
【図３】同袴式和服の袴の前面部分形態図
【図４】同袴式和服の袴の後面部分形態図
【図５】従来の袴式和服の前面着用図と袴部分後面着用図
【図６】同長着(着物)及び帯の部分形態図
【図７】同袴の前面部分形態図
【図８】同袴の後面部分形態図
【符号の説明】
【００１８】
1                 上部前紐(上側の前紐)
2                 下部前紐(下側の前紐)
2A               下部前紐右側縫付け部分
2B               下部前紐左側縫付け部分
3                 後紐
4                 腰板
5                 着物
6                 帯
12A              右笹ひだ
12B              左笹ひだ
【図１】
0004837925.tif 000002
【図２】
0004837925.tif 000003
【図３】
0004837925.tif 000004
【図４】
0004837925.tif 000005
【図５】
0004837925.tif 000006
【図６】
0004837925.tif 000007
【図７】
0004837925.tif 000008
【図８】
0004837925.tif 000009